(57)【要約】【課題】画像の被写体やユーザに関わる行動の特定が可能な位置情報が、撮影画像とともに無条件で外部装置に流出することを防止するアルバム作成装置等を提供する【解決手段】本発明に係るアルバム作成装置（１）は、撮影装置（１１）により撮影された撮影画像を示す画像情報を取得する第１取得部（２）と、撮影画像が撮影された時点における撮影装置（１１）の位置を示す位置情報を取得する第２取得部（３）と、画像情報を位置情報と分離した状態で第１記録領域に保存する第１保存部（５）と、を備える。【選択図】図１
2016075990.tif 000002
【特許請求の範囲】
【請求項１】
撮影装置により撮影された撮影画像を用いてアルバムを作成するアルバム作成装置であって、
上記撮影装置により撮影された上記撮影画像を示す画像情報を取得する第１取得部と、
当該撮影画像が撮影された時点における上記撮影装置の位置を示す位置情報を取得する第２取得部と、
上記第１取得部により取得された上記画像情報を、上記第２取得部により取得された上記位置情報と分離した状態で、第１記録領域に保存する第１保存部と、を備えることを特徴とするアルバム作成装置。
【請求項２】
上記第１取得部により取得された上記画像情報と、上記第２取得部により取得された上記位置情報とを関連付ける関連付け部と
上記第１記録領域とは異なる第２記録領域に、上記第２取得部により取得された上記位置情報を保存する第２保存部とを、さらに備え、
上記第１保存部は、上記第１取得部により取得された上記画像情報を、上記関連付け部により上記位置情報と関連付けられた状態で保存することを特徴とする請求項１に記載のアルバム作成装置。
【請求項３】
上記関連付け部により上記画像情報に関連付けられた上記位置情報を外部装置に出力することを許可する旨のユーザ操作を受け付けるユーザ操作受付部と、
上記第１記録領域に保存されている上記画像情報に、上記関連付け部により関連付けられている上記位置情報を合成した合成情報を生成する合成情報生成部と、をさらに備え、
上記合成情報生成部は、上記ユーザ操作受付部が上記ユーザ操作を受け付けた場合に、上記合成情報生成部により生成された上記合成情報を、外部装置と通信可能な通信部に出力することを特徴とする請求項２に記載のアルバム作成装置。
【請求項４】
撮影装置により撮影された撮影画像を用いてアルバムを作成するアルバム作成方法であって、
上記撮影装置により撮影された上記撮影画像を示す画像情報を取得する第１取得ステップと、
当該撮影画像が撮影された時点における上記撮影装置の位置を示す位置情報を取得する第２取得ステップと、
上記第１取得ステップにて取得された上記画像情報を、上記第２取得ステップにて取得された上記位置情報と分離した状態で、第１記録領域に保存する第１保存ステップと、を含むことを特徴とするアルバム作成方法。
【請求項５】
請求項１から３のいずれか１項に記載のアルバム作成装置を備えた携帯端末。
【請求項６】
請求項１から３のいずれか１項に記載のアルバム作成装置としてコンピュータを機能させるための制御プログラムであって、コンピュータを上記各部として機能させるための制御プログラム。
【発明の詳細な説明】
【技術分野】
【０００１】
本発明は、撮影装置により撮影された撮影画像を用いてアルバムを作成するアルバム作成装置、アルバム作成方法、携帯端末、および制御プログラムに関する。
【背景技術】
【０００２】
従来から、ユーザがデジタルカメラや携帯端末等で撮影した撮影画像を用いて、アルバムを作成する技術が知られている。例えば、デジタルカメラ等で撮影された、撮影時点におけるユーザの位置を示す位置情報を付属した撮影画像を利用する技術がある。より具体的には、特許文献１には、事前に用意されたシナリオ作成用素材データから行程シナリオを生成し、撮影した写真画像データおよびその撮影時点の位置情報と時刻情報を受信し、先に生成された行程シナリオとの関連付けを行い、例えば位置情報が一致する写真画像データをレイアウト設定して電子アルバムを生成する技術について開示されている。
【先行技術文献】
【特許文献】
【０００３】
【特許文献１】特開２００５‐６３３０２号公報（２００５年３月１０日公開）
【特許文献２】特開２００１‐３２５２５９号公報（２００１年１１月２２日公開）
【発明の概要】
【発明が解決しようとする課題】
【０００４】
しかしながら、上記特許文献１は、写真画像データとともに、画像の被写体やユーザに関わる行動の特定が可能な位置情報を受信するため、当該位置情報が外部に流出し、個人情報の漏洩の可能性が高いという問題がある。また、写真画像データに位置情報が含まれている場合（例えば、ＥＸＩＦ情報に含まれている場合）、写真画像データが公開される際に、無条件で位置情報も公開されるため、個人情報の漏洩の可能性が高いという問題がある。
【０００５】
本発明は、上記の問題点に鑑みてなされたものであり、その目的は、画像の被写体やユーザに関わる行動の特定が可能な位置情報が、撮影画像とともに無条件で外部装置に流出することを防止するアルバム作成装置等を提供することにある。
【課題を解決するための手段】
【０００６】
上記の課題を解決するために、本発明の一態様に係るアルバム作成装置は、撮影装置により撮影された撮影画像を用いてアルバムを作成するアルバム作成装置であって、上記撮影装置により撮影された上記撮影画像を示す画像情報を取得する第１取得部と、当該撮影画像が撮影された時点における上記撮影装置の位置を示す位置情報を取得する第２取得部と、上記第１取得部により取得された上記画像情報を、上記第２取得部により取得された上記位置情報と分離した状態で、第１記録領域に保存する第１保存部と、を備える。
【発明の効果】
【０００７】
本発明の一態様によれば、画像情報は、位置情報を含まない状態で保存される。それゆえ、画像情報が外部装置に出力される際に、画像の被写体やユーザに関わる行動の特定が可能な位置情報が、画像情報とともに無条件で外部装置に流出することが防止可能となるという効果を奏する。
【図面の簡単な説明】
【０００８】
【図１】本発明の一実施形態に係るアルバム作成装置を備えた携帯端末の要部構成の一例を示すブロック図である。
【図２】（ａ）は、従来技術における、携帯端末内およびネットワーク上の画像情報の概念図である。（ｂ）は、本発明に係るアルバム作成装置を備えた携帯端末内、およびネットワーク上の画像情報の概念図である。
【図３】上記アルバム作成装置が画像情報および位置情報を保存する保存処理の一例を示すフローチャートである。
【図４】上記携帯端末に表示されるデータの作成処理を示す概要図である。
【図５】図４に示したデータ（アルバム画面表示用データ）の表示例を示す図である。
【図６】上記アルバム作成装置がアルバム画面表示用データを表示する表示処理の一例を示すフローチャートである。
【図７】携帯端末が外部装置に出力するデータの生成処理を示す概要図である。
【図８】アルバム作成装置が外部装置にデータを出力する出力処理の一例を示すフローチャートである。
【図９】外部装置へ出力するデータの生成過程における操作の一例を示す図である。
【発明を実施するための形態】
【０００９】
〔実施形態１〕
本発明の一実施形態について、図１〜図６に基づいて説明する。以下の説明では、携帯端末１０をスマートフォンとして説明するが、これに限らない。携帯端末１０は、通信機能を備えていればよく、例えば、携帯電話機、ノート型ＰＣ、タブレット端末、またはＰＤＡ（Personal Digital Assistant）である。
【００１０】
（本発明の概要）
図２の（ａ）は、従来技術における、携帯端末１０内およびネットワーク上の画像情報の概念図である。図２の（ａ）に示すように、携帯端末１０内に保存される画像情報は、ＥＸＩＦ情報を含んでおり、ＥＸＩＦ情報は、撮影された時刻を示す撮影時間、撮影された時点における撮影装置の位置を示す位置情報などが含まれている。このため、携帯端末１０内にある画像情報を、ネットワーク上のサーバ（例えば、ブログ、ＳＮＳ、印刷サービス業者）にアップロードすると、ネットワーク上の画像情報にも、撮影された時刻を示す撮影時間、撮影された時点における撮影装置の位置を示す位置情報などを有するＥＸＩＦ情報が含まれている。それゆえ、ネットワーク上の画像情報に含まれる位置情報が第三者により窃用可能となり、位置情報によりユーザ個人の位置が特定され、ユーザのプライバシーの侵害となり得る虞があった。
【００１１】
図２の（ｂ）は、本発明に係るアルバム作成装置１を備えた携帯端末１０内、およびネットワーク上の画像情報の概念図である。図２の（ｂ）に示すように、携帯端末１０内に保存される画像情報のＥＸＩＦ情報には、撮影された時点における撮影装置の位置を示す位置情報が含まれていない。そして、当該位置情報は、画像情報が記録される領域とは異なる領域（アルバム情報記憶部）に記録され、携帯端末１０の表示画面にて表示する場合に使用される。このため、ネットワーク上のサーバにアップロードした、携帯端末１０内にある画像情報のＥＸＩＦ情報には、撮影された時点における撮影装置の位置を示す位置情報が含まれていない。それゆえ、位置情報によりユーザ個人の位置が特定されることはなく、ユーザのプライバシー係る情報が第３者に漏洩することを防止できる。
【００１２】
（携帯端末の要部構成）  図１は、本発明の一実施形態に係るアルバム作成装置１を備えた携帯端末１０の要部構成の一例を示すブロック図である。図１に示すように、携帯端末１０は、アルバム作成装置１、撮影装置１１、ＧＰＳ受信部１２、通信部１３、センサ１４、表示画面１５、および記憶ユニット１６を備えている。アルバム作成装置１は、撮影装置１１により撮影された撮影画像を用いて電子アルバムを作成するものである。アルバム作成装置１の詳細については、後述する。
【００１３】
撮影装置１１は、撮影機能を有するもの（例えば、デジタルカメラ）であり、ユーザによるシャッター操作などに従って撮影し、撮影画像をデータ化し、データ化した画像情報をアルバム作成装置１に通知する。ＧＰＳ受信部１２は、ＧＰＳ（global positioning system）からの電波を受信し、受信したＧＰＳ信号をアルバム作成装置１に出力する。例えば、ＧＰＳ受信部１２は、撮影装置１１により撮影画像が撮影されると、撮影装置１１の位置を示す信号を受信する。なお、ＧＰＳ受信部１２が受信する電波は、位置情報に係る電波であれば、ＧＰＳからの電波に限定しない。
【００１４】
通信部１３は、携帯端末１０とは異なる装置（外部装置、不図示）と通信するものである。通信部１３は、アルバム作成装置１から通知される情報を、無線または有線で外部装置に出力する。センサ１４は、携帯端末１０に備えられている各種センサ（不図示）であり、携帯端末１０に対するユーザ操作を検知するセンサ（例えば、静電容量センサ）で構成される。センサ１４は、検知データをアルバム作成装置１に通知する。表示画面１５は、液晶ディスプレイまたは有機ＥＬ（electroluminescence）ディスプレイ等の表示装置で構成され、アルバム作成装置１から通知される情報を表示するものである。
【００１５】
記憶ユニット１６は、アルバム作成装置１から通知される各種情報（例えば、画像情報６ａ、位置情報６ｂ、合成情報６ｃなど）を格納するものである。記憶ユニット１６は、異なる２つの領域（第１記録領域、および第２記録領域、不図示）を有しており、第１記録領域には位置情報を含まない画像情報６ａが格納され、第２記録領域には位置情報６ｂが格納される。
【００１６】
（アルバム作成装置の要部構成）  アルバム作成装置１の詳細について、図１に基づいて説明する。アルバム作成装置１は、第１取得部２、第２取得部３、関連付け部４、第１保存部５、第２保存部６、ユーザ操作受付部７、合成情報生成部８、およびアルバム作成部９を備えている。
【００１７】
第１取得部２は、撮影装置１１により撮影された撮影画像を示す画像情報を取得する。第２取得部３は、第１取得部２により取得された画像情報が示す撮影画像が撮影された時点における撮影装置１１の位置を示す位置情報を取得する。関連付け部４は、第１取得部２により取得された画像情報と、第２取得部３により取得された位置情報とを関連付ける。
【００１８】
第１保存部５は、第１取得部２により取得された画像情報を、第２取得部３により取得された位置情報と分離した状態で、記憶ユニット１６の第１記録領域に保存する。また、第１保存部は、第１取得部２により取得された画像情報と、第２取得部３により取得された位置情報とが関連付け部４により関連付けられる場合、第１取得部２により取得された画像情報を、関連付け部４により位置情報と関連付けられた状態で保存する。第２保存部６は、第２取得部３により取得された位置情報を、第１記録領域とは異なる記憶ユニット１６の第２記録領域に保存する。
【００１９】
本実施形態において、記憶ユニット１６は、１つのメモリで構成され、互いに異なる２つの記録領域（第１領域および第２領域）を有するものとして説明するが、これに限定しない。例えば、記憶ユニット１６は、異なる２つのメモリで構成されてもよい。記憶ユニット１６が異なる２つのメモリで構成される場合、一方のメモリは第１記録領域を有し、もう一方のメモリは第２記録領域を有するものとする。
【００２０】
ユーザ操作受付部７は、センサ１４からの検知データに基づいて、表示画面１５への各種情報の表示、表示内容の切替、外部装置（ネットワーク上のサーバ、印刷業者など）への各種情報の出力の許可などのユーザ操作を受け付ける。例えば、ユーザ操作受付部７が、関連付け部４により画像情報６ａに関連付けられた位置情報６ｂを、ネットワーク上のサーバに送信することを許可する旨のユーザ操作を受け付けると、ユーザ操作受付部７は、画像情報６ａと位置情報６ｂとを合成する旨の指示を合成情報生成部８に通知する。
【００２１】
合成情報生成部８は、外部装置へ出力するデータを生成し、生成したデータを通信部１３に外部装置へ出力させる。例えば、合成情報生成部８は、ユーザ操作受付部７から画像情報６ａと位置情報６ｂとを合成する旨の指示を通知されると、記憶ユニット１６（第１記録領域）に格納されている画像情報６ａに、関連付け部４により関連付けられている位置情報６ｂを合成した合成情報を生成する。そして、合成情報生成部８は、生成した合成情報６ｃを記憶ユニット１６に格納し、合成情報６ｃを通信部１３に外部装置へ出力させる。また、なお、合成情報６ｃについては、図９にて詳細に説明する。
【００２２】
アルバム作成部９は、記憶ユニット１６に格納されている各種情報を用いて、アルバムを作成し、作成したアルバム情報（不図示）を表示画面１５に表示させる。アルバム作成部９の詳細については、図４〜図６にて後述する。
【００２３】
（アルバム作成装置の保存処理）  図３は、アルバム作成装置１が画像情報６ａおよび位置情報６ｂを保存する保存処理の一例を示すフローチャートである。図３に示すように、ユーザによるシャッター操作などの撮影を行う旨の操作がある場合（Ｓ１１にてＹＥＳ）、撮影装置１１は撮影し、第１取得部２は、撮影装置１１により撮影された撮影画像を示す画像情報を取得する（Ｓ１２、第１取得ステップ）。ユーザによるシャッター操作などの撮影を行う旨の操作がない場合（Ｓ１１にてＮＯ）、Ｓ１１の処理を繰り返す。
【００２４】
また、ＧＰＳ受信部１２の機能がＯＮの場合（Ｓ１３にてＹＥＳ）、第２取得部３は、Ｓ１２にて取得された画像情報が示す撮影画像が撮影された時点における撮影装置１１の位置を示す位置情報を、ＧＰＳ受信部１２から取得する（Ｓ１４、第２取得ステップ）。なお、Ｓ１２およびＳ１４の処理は、同時に行われてもよいし、いずれか一方が先行して行われてもよい。
【００２５】
Ｓ１４の後、関連付け部４は、Ｓ１２にて取得した画像情報と、Ｓ１４にて取得した位置情報とを関連付ける（Ｓ１５）。そして、第１保存部５は、Ｓ１５にて位置情報と関連付けられた画像情報６ａ（位置情報を含まない画像情報）を記憶ユニット１６（第１記録領域）に格納する（Ｓ１６、第１保存ステップ）。
【００２６】
また、第２保存部６は、Ｓ１４にて取得された位置情報６ｂを、画像情報の保存領域（第１記録領域）とは異なる領域（第２記録領域）に格納する（Ｓ１７）。なお、Ｓ１６およびＳ１７の処理は、同時に行われてもよいし、何れか一方が先行して行われてもよい。
【００２７】
一方、ＧＰＳ受信部１２の機能がＯＦＦの場合（Ｓ１３にてＮＯ）、第１保存部５は、Ｓ１２にて取得した画像情報６ａを記憶ユニット１６（第１記録領域）に格納する（Ｓ１８）。
【００２８】
（効果）  上記の構成によれば、画像情報は、撮影画像が撮影された時点における撮影装置の位置を示す位置情報と分離した状態で、第１記録領域に保存される。このため、例えば、ユーザがアルバム（撮影画像）を他者にネットワーク経由で開示する場合、または、印刷業者にアルバム（撮影画像）の印刷を依頼する場合に、位置情報を画像情報とともに不用意に開示することがない。それゆえ、画像の被写体やユーザに関わる行動の特定が可能な位置情報を外部に流出することが防止可能となる。
【００２９】
また、上記の構成によれば、位置情報は、画像情報の記録領域とは異なる領域に保存され、画像情報は、位置情報と関連付けられて保存される。それゆえ、ユーザは、画像情報を外部装置に出力する際に位置情報を外部装置に流出させることなく、画像情報の関連付けられた位置情報を携帯端末１０内で利用（例えば閲覧、操作）することが可能となる。
【００３０】
（アルバム作成処理の概要）  図４は、携帯端末１０に表示されるデータ（アルバム画面表示用データ）の作成処理を示す概要図である。図１にて上述した通り、画像情報６ａおよび位置情報６ｂは、互いに異なる領域に各々格納されている。Ｎ枚の撮影画像を示す画像情報６ａが、１つのアルバムデータとして選択されると、選択された画像情報６ａに各々関連付けられた位置情報６ｂも選択される（図４の左側）。次に、図４の左側における画像情報６ａおよび位置情報６ｂを用いて、Ｎ枚の撮影画像から成るアルバム画面表示用データが作成される（図４の中央）。そして、図４の中央におけるアルバム画面表示用データが、携帯端末１０の表示画面１５に表示される（図４の右側）。
【００３１】
（アルバムの表示処理）  次に、アルバム作成部９にて作成されたアルバムを表示する処理について、図５および図６を用いて説明する。図５は、図４に示したデータ（アルバム画面表示用データ）の表示例を示す図である。図６は、アルバム作成装置１がアルバム画面表示用データを表示する表示処理の一例を示すフローチャートである。
【００３２】
図６に示すように、ユーザ操作受付部７が、表示画面への表示を示すユーザ操作を受け付けると（Ｓ２１にてＹＥＳ）、アルバム作成部９は、位置情報６ｂと関連付けられた画像情報６ａがあるか否かを判定する（Ｓ２２）。例えば、図５の（ａ）は、携帯端末１０の表示画面１５にアルバムごとに表示されているアルバム画面表示用データから、１つのアルバムがユーザにより選択されることを示す図である。図５の（ａ）に示すアルバムが選択される操作は、表示画面への表示を示すユーザ操作として、ユーザ操作受付部７が受け付ける。
【００３３】
図６において、位置情報６ｂと関連付けられた画像情報６ａがある場合（Ｓ２２にてＹＥＳ）、アルバム作成部９は、位置情報６ｂと関連付けられた画像情報６ａのサムネイル画像を、位置情報６ｂにより示される位置を含む地図上に重畳して、表示画面１５に表示させる（Ｓ２３）。Ｓ２３にて表示されるデータは、図４にて上述したアルバム画面表示用データであってもよいし、図３のＳ１５にて位置情報６ｂと関連付けられた画像情報６ａであってもよい。
【００３４】
図５の（ｂ）は、携帯端末１０の表示画面１５に表示された、位置情報６ｂにより示される位置を含む地図上に重畳された画像情報６ａのサムネイル画像である。図５の（ｂ）に示すように、画像情報６ａのサムネイル画像は、関連付けられた位置情報６ｂにより示される位置に各々重畳して表示されている。なお、図５の（ｂ）に示す表示内容から図５の（ａ）に示す表示内容に戻る場合、図５の（ｂ）にて「前へ」まはた「戻る」を選択すればよい。
【００３５】
Ｓ２３の後、ユーザ操作受付部７が、表示画面１５の表示内容を切り替えることを示すユーザ操作を受け付けた場合（Ｓ２４にてＹＥＳ）、アルバム作成部９は、画像情報６ａのサムネイル画像の１つを、表示画面１５における画像表示領域の全体に表示させる（Ｓ２５）。
【００３６】
例えば、図５の（ｂ）にて「次へ」を選択すると、図５の（ｃ）に示すように、画像情報６ａのサムネイル画像の１つが、携帯端末１０の表示画面１５における画像表示領域の全体に表示される。さらに、図５の（ｃ）にて「次へ」を選択すると、図５の（ｄ）に示すように、次のサムネイル画像が携帯端末１０の表示画面１５における画像表示領域の全体に表示される。図５の（ｃ）および（ｂ）にて表示されている画像情報の下方には、撮影対象の名称および住所が表示されていてもよい。なお、１つ前に表示していた表示内容へ戻る場合、図５の（ｃ）および（ｄ）にて「前へ」を選択すればよい。
【００３７】
〔変形例〕
実施形態１にて上述した図３のフローチャートの変形例について説明する。図３において、Ｓ１２以降の処理は、Ｓ１１のトリガ（ユーザによるシャッター操作などの撮影を行う旨の操作がある場合）に限定して実行されるものでなくてもよい。図３のＳ１２以降の処理の実行を、図３のＳ１１に示すトリガに限定しない場合、図３のＳ１２にて第１取得部２が取得する画像情報は、位置情報を含む画像情報（例えば予め記憶ユニット１６に格納されている画像情報、不図示）であってもよい。以下では、予め記憶ユニット１６に格納されている、位置情報を含む画像情報を用いた処理について、説明する。
【００３８】
第１取得部２は、記憶ユニット１６から位置情報を含む画像情報を取得し（図３におけるＳ１２に対応する処理）、取得した画像情報から位置情報を分離させる。そして、第１保存部５は、位置情報が分離された画像情報６ａを記憶ユニット１６の第１領域に保存する（図３におけるＳ１６に対応する処理）。なお、記憶ユニット１６の第１領域に保存される画像情報６ａは、第１取得部２により分離させられた位置情報と関連付け部４により関連付けられていてもよい。
【００３９】
また、第２取得部３は、記憶ユニット１６に格納されている位置情報を含む画像情報（不図示）を用いて、位置情報を取得する（図３におけるＳ１４に対応する動作）。そして、第２保存部６は、第２取得部３により取得された位置情報６ｂを記憶ユニット１６の第２領域に保存する（図３におけるＳ１７に対応する処理）。なお、第２取得部３により取得される位置情報は、第１取得部２により分離された位置情報であってもよい。
【００４０】
上記の構成によれば、予め格納されている画像情報であって、位置情報を含む画像情報は、位置情報を含まない画像情報６ａと位置情報６ｂとに分離され、位置情報を含まない画像情報６ａ、および位置情報６ｂは、互いに異なる領域に各々保存される。それゆえ、画像情報６ａが外部装置に出力される際に、画像の被写体やユーザに関わる行動の特定が可能な位置情報６ｂが、画像情報６ａとともに無条件で外部装置に流出することが防止可能となる。
【００４１】
〔実施形態２〕
本発明の他の実施形態について、図７〜図９に基づいて説明すれば、以下のとおりである。なお、説明の便宜上、前記実施形態にて説明した部材と同じ機能を有する部材については、同じ符号を付記し、その説明を省略する。
【００４２】
（外部装置への出力用データの概要）  図７は、携帯端末１０が外部装置に出力するデータ（アルバム印刷作成データ）の生成処理を示す概要図である。図７の左側に示すように、Ｎ枚の撮影画像を示す画像情報６ａが、１つのアルバムデータとして選択されると、選択された画像情報６ａに各々関連付けられた位置情報６ｂも選択される。次に、図７の左側における画像情報６ａを用いて、位置情報を含まないＮ枚の撮影画像から成るアルバム印刷作成データが、外部装置に出力するデータとして生成される（図７の右側）。
【００４３】
また、ユーザ操作受付部７が、位置情報を外部装置に出力することを許可する旨のユーザ操作を受け付けた場合、図７の左側における画像情報６ａおよび位置情報６ｂを用いて、位置情報を含むＮ枚の撮影画像から成るアルバム印刷作成データ（合成情報）が、外部装置に出力するデータとして生成される。
【００４４】
（外部装置への出力処理）  図８は、アルバム作成装置１が外部装置にデータ（アルバム印刷作成データ）を出力する出力処理の一例を示すフローチャートである。図８に示すように、外部装置への画像情報の出力を示すユーザ操作がある場合であって（Ｓ３１にてＹＥＳ）、ユーザ操作受付部７が、外部装置への位置情報の出力の許可を示すユーザ操作を受け付けた場合（Ｓ３２にてＹＥＳ）、合成情報生成部８は、Ｓ３１におけるユーザ操作が示す、記憶ユニット１６（第１記録領域）に格納されている画像情報６ａに、関連付け部４により関連付けられている位置情報６ｂを合成した合成情報を、外部装置に出力するアルバム印刷作成データとして、生成する（Ｓ３３）。
【００４５】
そして、通信部１３は、Ｓ３３にて合成された合成情報を外部装置に出力する（Ｓ３４）。Ｓ３４にて出力された合成情報は、例えば、携帯端末１０の外部にある外部アプリケーション（アルバムを印刷するアプリケーション）にネットワーク経由で提供される。また、例えば、アルバム印刷サービスを行うサイトにネットワーク経由で提供される。
【００４６】
一方、ユーザ操作受付部７が、外部装置への位置情報の出力の許可を示すユーザ操作を受け付けていない場合（Ｓ３２にてＮＯ）、合成情報生成部８は、Ｓ３１におけるユーザ操作が示す画像情報６ａを、外部装置に出力する（Ｓ３５）。なお、Ｓ３５にて外部装置に出力されるデータは、図７にて上述した、記憶ユニット１６（第１記録領域）に格納されている画像情報６ａから成る、位置情報を含まないアルバム印刷作成データであってもよい。
【００４７】
上記の構成によれば、ユーザが位置情報を外部に開示することを望む場合に、位置情報を含む画像情報（合成情報）が、外部に送出される。また、ユーザが位置情報を外部に開示することを望まない場合には、位置情報を含まない画像情報が、外部に送出される。それゆえ、ユーザの意図しない場合において位置情報の外部への流出を防止することが可能となる。
【００４８】
（外部装置への出力用データの生成過程における操作の一例）  図９は、外部装置へ出力するデータ（アルバム印刷作成データ）の生成過程における操作の一例を示す図である。図４の右側にて上述したアルバム画面表示用データを携帯端末１０に表示させた状態で、図９の（ａ）に示す「メニュー」が選択され、図９の（ｂ）に示す「フォトアルバムを作る」が選択されると、図９の（ｃ）に示すように、外部装置に出力するアルバム印刷作成データが生成される。
【００４９】
図９の（ｃ）に示すアルバム印刷作成データ（合成情報）は、出力される外部装置の様々なサービス（フォトアルバムアプリケーション）に応じた形式である。例えば、アルバム印刷作成データ（合成情報）は、画像情報６ａのＥＸＩＦ情報に位置情報６ｂを書き込んだデータであってもよいし、画像情報６ａおよび位置情報６ｂを用いて作成された新たなファイル形式のデータであってもよい。
【００５０】
〔実施形態３〕
（ソフトウェアによる実現例）  アルバム作成装置１の制御ブロック（特に第１取得部２、第２取得部３、関連付け部４、第１保存部５、第２保存部６、ユーザ操作受付部７、および合成情報生成部８）は、集積回路（ＩＣチップ）等に形成された論理回路（ハードウェア）によって実現してもよいし、ＣＰＵ（Central Processing Unit）を用いてソフトウェアによって実現してもよい。
【００５１】
後者の場合、アルバム作成装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５２】
〔まとめ〕
本発明の態様１に係るアルバム作成装置（１）は、撮影装置（１１）により撮影された撮影画像を用いてアルバムを作成するアルバム作成装置であって、上記撮影装置により撮影された上記撮影画像を示す画像情報を取得する第１取得部（２）と、当該撮影画像が撮影された時点における上記撮影装置の位置を示す位置情報を取得する第２取得部（３）と、上記第１取得部により取得された上記画像情報を、上記第２取得部により取得された上記位置情報と分離した状態で、第１記録領域（記憶ユニット１６）に保存する第１保存部（５）と、を備えている。
【００５３】
上記の構成によれば、撮影装置により撮影された撮影画像を示す画像情報は、当該撮影画像が撮影された時点における撮影装置の位置を示す位置情報と分離した状態で、第１記録領域に保存される。このため、画像情報を外部装置に提供する場合に、位置情報を画像情報とともに不用意に開示することがない。それゆえ、画像の被写体やユーザに関わる行動の特定が可能な位置情報が、撮影画像とともに無条件で外部装置に流出することが防止可能となる。
【００５４】
本発明の態様２に係るアルバム作成装置は、上記態様１において、上記第１取得部により取得された上記画像情報と、上記第２取得部により取得された上記位置情報とを関連付ける関連付け部（４）と上記第１記録領域とは異なる第２記録領域（記憶ユニット１６）に、上記第２取得部により取得された上記位置情報を保存する第２保存部（６）とを、さらに備え、上記第１保存部は、上記第１取得部により取得された上記画像情報を、上記関連付け部により上記位置情報と関連付けられた状態で保存してもよい。
【００５５】
上記の構成によれば、撮影画像が撮影された時点における撮影装置の位置を示す位置情報は、第１記録領域とは異なる第２記録領域に保存され、当該画像情報は、位置情報と関連付けられて保存される。このため、ユーザは、自装置において位置情報と関連付けられた画像情報を利用することが可能となる。それゆえ、ユーザは、画像情報を外部装置に出力する際に位置情報を外部装置に流出させることなく、自装置内で安全に位置情報を利用することが可能となる。
【００５６】
本発明の態様３に係るアルバム作成装置は、上記態様２において、上記関連付け部により上記画像情報に関連付けられた上記位置情報を外部装置に出力することを許可する旨のユーザ操作を受け付けるユーザ操作受付部（７）と、上記第１記録領域に保存されている上記画像情報に、上記関連付け部により関連付けられている上記位置情報を合成した合成情報を生成する合成情報生成部（８）と、をさらに備え、上記合成情報生成部は、上記ユーザ操作受付部が上記ユーザ操作を受け付けた場合に、上記合成情報生成部により生成された上記合成情報を、外部装置と通信可能な通信部（１３）に出力してもよい。
【００５７】
上記の構成によれば、位置情報を外部装置に出力することを許可する旨のユーザ操作があった場合に、画像情報に位置情報を合成して生成した合成情報が、通信によって外部装置に出力される。このため、画像の被写体やユーザに関わる行動の特定が可能な位置情報を外部装置に出力することは、ユーザの意図を反映したものとなる。
【００５８】
本発明の態様４に係るアルバム作成方法は、撮影装置により撮影された撮影画像を用いてアルバムを作成するアルバム作成方法であって、上記撮影装置により撮影された上記撮影画像を示す画像情報を取得する第１取得ステップと、当該撮影画像が撮影された時点における上記撮影装置の位置を示す位置情報を取得する第２取得ステップと、上記第１取得ステップにて取得された上記画像情報を、上記第２取得ステップにて取得された上記位置情報と分離した状態で、第１記録領域に保存する第１保存ステップと、を含む。上記アルバム作成方法によれば、上記態様１と同様の効果を奏する。
【００５９】
本発明の態様５に係る携帯端末は、上記態様１から３のいずれか一態様に記載のアルバム作成装置を備えている。上記の構成によれば、上記態様１から３のいずれか一態様と同様の効果を奏する。
【００６０】
本発明の各態様に係るアルバム作成装置は、コンピュータによって実現してもよく、この場合には、コンピュータを上記アルバム作成装置が備える各部として動作させることにより上記アルバム作成装置をコンピュータにて実現させるアルバム作成装置の制御プログラム、およびそれを記録したコンピュータ読み取り可能な記録媒体も、本発明の範疇に入る。
【００６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６２】
本発明は、通信機能を備えた、スマートフォン、携帯電話機、ノート型ＰＣ、タブレット端末、またはＰＤＡ等の携帯端末に利用することができる。
【符号の説明】
【００６３】
１    アルバム作成装置
２    第１取得部
３    第２取得部
４    関連付け部
５    第１保存部
６    第２保存部
６ａ  画像情報
６ｂ  位置情報
６ｃ  合成情報
７    ユーザ操作受付部
８    合成情報生成部
１０  携帯端末
１１  撮影装置
１２  ＧＰＳ受信部
１３  通信部
１６  記憶ユニット
【図１】
2016075990.tif 000003
【図２】
2016075990.tif 000004
【図３】
2016075990.tif 000005
【図４】
2016075990.tif 000006
【図５】
2016075990.tif 000007
【図６】
2016075990.tif 000008
【図７】
2016075990.tif 000009
【図８】
2016075990.tif 000010
【図９】
2016075990.tif 000011